(57)【要約】【課題】  放送波により送られる情報を簡易な構成で利用すること、また、情報提供者にとって、提供したい利用者に対して有効に情報を提供することができ、利用者にとって、必要とする情報を選別して受けること。【解決手段】  放送波に利用者に関わる属性を付加しておき、放送波の受信においてこの属性を用いて所定の配信データのみを抽出することによって、不特定多数に送られる放送波を用いて、所定の利用者に対して配信し、また、所定の配信データを選別して取得する。デコーダ４は、放送波を受信する放送受信機の出力端と接続する入力端と、この入力端から放送受信機で受信した放送波を入力し、入力した放送波に含まれる配信データを抽出するデコーダであり、デコーダ毎又は個人毎に設定された属性を記憶する属性記録手段４ａ２と、属性記憶手段に記録される属性と放送波中に付加された属性とに基づいて配信データを抽出するフィルタ手段４ａ１とを備える。【選択図】  図１
2005150956.tif 000002
【特許請求の範囲】
【請求項１】
放送波を受信する放送受信機の出力端と接続する入力端と、
当該入力端から放送受信機で受信した放送波を入力し、当該放送波に含まれる配信データを抽出するデコーダであって、
デコーダ毎又は個人毎に設定された属性を記憶する属性記録手段と、
前記属性記憶手段に記録される属性と放送波により送られるデータに付与された属性とに基づいて配信データを抽出するフィルタ手段とを備えることを特徴とするデコーダ。
【請求項２】
前記放送波は、映像データ及び／又は音声データに配信データを付加して形成され、
前記属性は映像データ、音声データ、配信データの少なくとも何れか一つのデータに設けられたデータ領域に付与され、
前記フィルタ手段は、前記属性が付与されたデータ領域を検索し、検索された属性と属性記憶手段に記録される属性と照合し、属性が一致した配信データを抽出することを特徴とする請求項１に記載のデコーダ。
【請求項３】
前記携帯端末と通信する通信手段を備え、
当該通信手段は前記抽出した配信データを携帯端末に転送することを特徴とする請求項２に記載のデコーダ。
【請求項４】
前記通信手段は、携帯端末からの登録要求に基づいて、携帯端末に固有の識別情報と共に携帯端末で選択された属性を受信し、前記属性記録手段に登録することを特徴とする請求項３に記載のデコーダ。
【請求項５】
前記通信手段は、携帯端末からの転送要求に基づいて、携帯端末から受信した識別情報と前記属性記録手段に登録されている識別情報とを照合して携帯端末の認証を行い、当該認証結果に基づいて配信データの携帯端末への転送を行うことを特徴とする請求項４に記載のデコーダ。
【請求項６】
前記配信データは配信元を特定する符号データを含み、
前記転送手段は、転送先の携帯端末を介して、符号データに対応して定められたＵＲＬデータにより配信元にアクセスすることを特徴とする請求項２乃至５の何れか一つに記載のデコーダ。
【請求項７】
放送波を受信する放送受信機であって、当該放送波に含まれる配信データを抽出するデコーダを備え、
当該デコーダは、デコーダ毎又は個人毎に設定された属性を記憶する属性記録手段と、
前記属性記憶手段に記録される属性と放送波により送られるデータに付与された属性とに基づいて配信データを抽出するフィルタ手段とを備えることを特徴とする放送受信機。
【請求項８】
前記放送波は、映像データ及び／又は音声データに配信データを付加して形成され、
前記属性は映像データ、音声データ、配信データの少なくとも何れか一つのデータに設けられたデータ領域に付与され、
前記フィルタ手段は、前記属性が付与されたデータ領域を検索し、検索された属性と属性記憶手段に記録される属性と照合し、属性が一致した配信データを抽出することを特徴とする請求項７に記載の放送受信機。
【請求項９】
前記携帯端末と通信する通信手段を備え、
当該通信手段は前記抽出した配信データを携帯端末に転送することを特徴とする請求項８に記載の放送受信機。
【請求項１０】
前記通信手段は、携帯端末からの登録要求に基づいて、携帯端末に固有の識別情報と共に携帯端末で選択された属性を受信し、前記属性記録手段に登録することを特徴とする請求項９に記載の放送受信機。
【請求項１１】
前記通信手段は、携帯端末からの転送要求に基づいて、携帯端末から受信した識別情報と前記属性記録手段に登録されている識別情報とを照合して携帯端末の認証を行い、当該認証結果に基づいて配信データの携帯端末への転送を行うことを特徴とする請求項１０に記載の放送受信機。
【請求項１２】
前記配信データは配信元を特定する符号データを含み、
前記転送手段は、転送先の携帯端末を介して、符号データに対応して定められたＵＲＬデータにより配信元にアクセスすることを特徴とする請求項８乃至１１の何れか一つに記載の放送受信機。
【発明の詳細な説明】
【技術分野】
【０００１】
本発明は、放送通信システムに適用したデコーダ、及び放送受信機に関し、特に、テレビ，ラジオ等の放送波を用いて送られる情報から所望の情報を抽出する機器に関する。
【背景技術】
【０００２】
テレビやラジオ等の放送波により、放送内容に加えて番組情報，ＣＭ情報等の番組に重畳して表示する情報や、インターネット上で利用するコンテンツ情報やアクセス先のＵＲＬ情報等を送信することが提案されている。
【０００３】
例えば、放送波を利用する双方向通信環境において、インターネットにより提供されるコンテンツを閲覧するシステムとして、特許文献１が開示されている。
【０００４】
この文献１に開示されるシステムでは、放送局が番組を放送する際、放送内容と共にコンテンツの閲覧を指示するボタン等のシンボルを描画する記述を配信する。視聴者はセットトップボックスを介して表示されるボタンをリモコン等の指示手段で操作する。セットトップボックスは、この指示を受けてコンテンツのＵＲＬと番組のスポンサーＩＤを用いてインターネットにアクセスする。インターネット上のコンテンツプロバイダは、スポンサーＩＤによってコマーシャルプロバイダに通知し、スポンサー用のコマーシャルをダウンロードして視聴者に転送している。
【特許文献１】特開２００２−１９９３７５号
【発明の開示】
【発明が解決しようとする課題】
【０００５】
従来のシステムでは、双方向通信を形成することによって所望とするデータをダウンロードしている。この双方向通信は、例えば上記したように、コンテンツの閲覧を指示するボタン等を放送波を介して入手し、このボタンをリモコンによりセットトップボックスに閲覧するコンテンツを指示し、セットトップボックスは指示されたコンテンツのＵＲＬと番組のスポンサーＩＤを用いてインターネットにアクセスし、さらに、インターネットを介してコマーシャルプロバイダからスポンサー用のコマーシャルをダウンロードするといった構成としている。
【０００６】
このような双方向通信による構成では、専用のリモコンが必要であるといった問題や、セットトップボックスはリモコンとの間で通信を行う機能を必要とする他、インターネットにアクセスしてデータをダウンロードする機能が必要であるという問題がある。
【０００７】
双方向通信の普及を促進させるには、簡易な構成であることが求められるが、専用のリモコンを用意したり、セットトップボックスに電話回線に接続してインターネットにアクセスしたりといった機能を付加することは、構成を複雑とし、また、コストの上昇を招くことになる。
【０００８】
専用のリモコンやセットトップボックスの代わりに携帯電話を利用し、放送受信機に表示された情報を用いてインターネットに接続することも考えられるが、この場合には、人手により携帯端末の数字キーや機能キーを押してコンテンツのＵＲＬと番組のスポンサーＩＤを入力する必要がある。そのため、入力誤りが発生するおそれがある他、使い勝手の点で劣るという問題がある。
【０００９】
また、放送による情報提供では、放送固有の性質に起因する問題を有している。
【００１０】
このような問題として、利用者に対してコンテンツや商品の販売を目的とするスポンサー等の情報の送り元側にとっては、放送による情報提供は不特定多数の公衆に対して行われ、特定の利用者に対して情報提供を行うことは困難であるという放送固有の性質のために、情報提供の効率が低いという問題がある。
【００１１】
また、情報の受け手である利用者側にとっても、多量の情報がランダムに提供されるため、利用者にとって有益な情報が多量の情報の中に埋没してしまい、必要とする情報を有効に知ることができないという問題がある。
【００１２】
そこで、本発明は、上記した従来の課題を解決し、放送波により送られる情報を簡易な構成で利用することを目的とし、また、情報提供者にとって、提供したい利用者に対して有効に情報を提供することを目的とし、利用者にとって、必要とする情報を選別して受けることができることを目的とする。
【課題を解決するための手段】
【００１３】
本発明は、放送波により送られるデータに利用者に関わる属性を付与しておき、放送波の受信においてこの属性を用いて所定の配信データのみを抽出することによって、不特定多数に送られる放送波を用いて、配信元においては所定の利用者に対して配信することができ、また、利用者においては所定の配信データを選別して取得することができる。
【００１４】
なお、ここで、属性は、利用者の年齢、性別、嗜好など個人に属する性質であり、この属性によって多数の利用者を幾つかのグループに分類分けすることができるものである。配信元は、配信を希望する利用者が持つ属性を選び出して配信データに付与し、利用者は受信機によって受信した放送波からこの属性を指標として配信データを抽出する。
【００１５】
選別される所定の配信データは、放送波により送られるデータの中で利用者の属性と一致する属性が付与された配信データであり、所定の利用者は属性により定められた利用者である。したがって、本発明は放送波で送られるデータに属性を付与し、この属性を用いて抽出を行うことによって、所定の利用者に対する配信、所定の配信データの取得を行うことができる。
【００１６】
なお、携帯端末の端末番号や機器番号等の携帯端末に固有の識別情報を属性として登録することもできる。携帯端末の識別情報を属性として登録することによって、特定の携帯端末の所有者に対して配信データを配信することができる。また、識別情報をグループ化することにより、特定のグループに対して配信データを配信することもできる。
【００１７】
本発明は、デコーダと受信機の形態とすることができる。
【００１８】
本発明のデコーダによる形態は、放送波を受信する放送受信機の出力端と接続する入力端と、この入力端から放送受信機で受信した放送波を入力し、入力した放送波に含まれる配信データを抽出するデコーダであり、デコーダ毎又は個人毎に設定された属性を記憶する属性記録手段と、属性記憶手段に記録される属性と放送波で送られるデータに付与される属性とに基づいて配信データを抽出するフィルタ手段とを備える。
【００１９】
また、本発明の放送受信機による形態は、放送波を受信する放送受信機であって、放送波に含まれる配信データを抽出するデコーダを備え、このデコーダは、上記した構成の、デコーダ毎又は個人毎に設定された属性を記憶する属性記録手段と、前記属性記憶手段に記録される属性と放送波で送られるデータに付与される属性とに基づいて配信データを抽出するフィルタ手段とを備える。
【００２０】
フィルタ手段は、属性をフィルタリングパラメータとして放送波中の配信データから所定の配信データを抽出する処理を行う手段であり、属性記録手段はこのフィルタ手段で用いる属性を記録する。属性記録手段は、デコーダ単位で属性を記録することも、あるいは個人を単位として記録することもできる。
【００２１】
放送波は、映像データ及び／又は音声データに配信データを付加して形成され、属性はこれら映像データ、音声データ、配信データの少なくとも何れか一つのデータに設けられたデータ領域に付与することができる。
【００２２】
フィルタ手段は、属性が付与されたデータ領域を検索し、検索された属性と属性記憶手段に記録される属性と照合し、属性が一致した配信データを抽出する。
【００２３】
デコーダは転送手段を備え、フィルタ手段で抽出した配信データを携帯端末に転送することができる。配信データは配信元を特定する符号データを含み、転送手段は、転送先の携帯端末を介して、符号データに対応して定められたＵＲＬデータにより配信元にアクセスすることができる。
【００２４】
配信元へのアクセスは、複数の態様とすることができる。
【００２５】
第１のアクセス態様では、携帯端末は放送局及び／又はサービスプロバイダ等の配信元にアクセスするインターネット上のＵＲＬデータと符号データとの対応関係を表すデータを有し、この対応関係データを用いて符号データからＵＲＬデータを読み出し、読み出したＵＲＬデータを用いて放送局及び／又はサービスプロバイダ等の配信元にアクセスする。
【００２６】
また、第２のアクセス態様では、配信元にアクセスするインターネット上のＵＲＬデータと符号データとの対応関係を表す対応関係データを備え、入力した符号データからＵＲＬデータを検索して出力する検索サーバを備える。携帯端末は、検索サーバに符号データを送信し、検索サーバで検索して得られたＵＲＬデータを受信し、受信したＵＲＬデータを用いて放送局及び／又はサービスプロバイダ等の配信元にアクセスする。
【発明の効果】
【００２７】
本発明によれば、放送波により送られる情報を簡易な構成で利用することができる。
【００２８】
また、情報提供者にとって、提供したい利用者に対して有効に情報を提供することができ、利用者にとって、必要とする情報を選別して受けることができることができる。
【発明を実施するための最良の形態】
【００２９】
以下、本発明の実施の形態について、図を参照しながら詳細に説明する。
【００３０】
なお、以下では、配信データは、配信元から配信されるデータであって、放送局から配信される番組情報、サービスプロバイダから配信される種々のサービス情報等とすることができる。サービス情報としては、例えば、アプリケーション情報、コマーシャル情報、携帯電話の待ち受け画面情報、携帯電話の着メロ情報、商品情報、購買情報、懸賞の当選情報、クーポン情報、チケット情報等がある。サービスプロバイダとしては、これら各種のサービス情報を個々に提供する各プロバイダや、複数のサービス情報をまとめて提供するプロバイダがある。また、各プロバイダのＵＲＬデータを形成する検索プロバイダを含む。
【００３１】
配信データは、配信元を特定する符号データやサービスプロバイダにアクセスするインターネット上のＵＲＬデータを含ませることができる。また、データ形式は、例えば、テキスト形式やバイナリ形式を用いることができる。
【００３２】
ここで、配信元は、放送波に付加する配信データを供給する供給元であり、放送局やサービスプロバイダ、各情報提供者が備えるプロバイダ等の携帯端末との間で通信が可能な機能を備えるものの他に、通信機能を放送局やサービスプロバイダに委託し、情報のみを提供する情報提供者も含む。なお、通信機能を放送局やサービスプロバイダに委託する情報提供者の場合には、利用者から得た情報は放送局やサービスプロバイダを介して間接的に取得することになる。
【００３３】
また、放送波は、公衆に受信される無線信号であり、地上波あるいは衛星波で、アナログ信号あるいはデジタル信号で送信されるラジオ放送やテレビ放送等が含まれる。
【００３４】
図１は本発明の放送通信システムによる、配信元と利用者との間で行われる双方向の通信を説明する概略図である。
【００３５】
図１において、放送通信システム１は、放送局２，サービスプロバイダ６，情報提供者７等の配信元と利用者（ここでは、携帯端末５）との間において、放送波を用いた双方向通信を行う。
【００３６】
一般に、放送局２は映像データ１０ａと音声データ１０ｂとをマルチプレクサ２ａにより重畳して得られる放送波を放送する。放送波は、公衆に配置された例えばラジオ受信機やテレビ受信機等の放送受信機３で受信され、映像や音声が出力される。
【００３７】
情報提供者７が提供する情報は、配信データ１０ｃとして放送局２において放送波内に組み込まれる。なお、配信データ１０ｃは情報提供者７が提供する情報の他に、放送局２自体が提供する情報とすることもできる。また、情報提供者７から放送局２への情報は、情報提供者７から放送局２に直接提供することも、あるいは、サービスプロバイダ６を介して提供することもできる。
【００３８】
放送局２において、配信データ１０ｃはエンコーダ２ｂにより符号化して後、マルチプレクサ２ａにより映像データ１０ａと音声データ１０ｂと共に重畳される。放送局２のマルチプレクサ２ａは、既在するデータ放送や多重放送に係る技術を用いて、放送波に配信データを重量して放送する。
【００３９】
例えば、ラジオ放送の場合には、ＦＭラジオ放送信号のサブキャリアを用いて、配信データを重畳することができ、また、テレビ放送の場合には、テレビ放送信号の垂直帰線消去期間を用いて配信データを重畳することができる。また、この他、ステノグラフィを用いたアナログ音声へのデジタルデータの合成技術や、音声すかし技術を用いることもできる。また、放送波に重畳される配信データは、標準化機構（例えばARIB）で規定されているデータ放送や多重放送に係る規格に基づいて重畳することもできる。
【００４０】
放送受信機３は、放送波の受信する機能、受信した放送波に重畳された配信データを抽出する機能、抽出した配信データを携帯端末５に転送する機能を有する。ここで、放送波の受信する機能はチューナ３ａに持たせ、受信した放送波から配信データを抽出する機能及び抽出した配信データを携帯端末５に転送する機能はデコーダ４に持たせることができる。
【００４１】
ここで、デコーダ４の機能は、放送受信機３内に持たせて一体構成とすることも、放送受信機３とは別体の構成とすることもできる。デコーダ４を放送受信機３と別体の構成とする場合には、放送受信機３のチューナ３ａとデコーダ４との間は、放送受信機３が備える音声出力端子、データ出力端子、iLink（IEEE1394）等を用いることができる。
【００４２】
放送受信機３あるいはデコーダ４と携帯端末（例えば、携帯電話）５との間は、IrDA，Bluetooth，無線ＬＡＮ等の近距離無線通信で通信する。無論、コード接続とすることもできる。
【００４３】
携帯端末５は、放送受信機３あるいはデコーダ４から配信データを受信する。携帯端末５は、受信した配信データを用いて種々のサービスを享受することができる。配信データとしては、例えば、携帯端末で実行するアプリケーションデータ、携帯端末に表示（画像表示及び／又は音声表示）するコマーシャルデータ、携帯電話が利用するデータ（待ち受け画面データやの着メロデータ）、商品購入の際に利用する商品データや購買データ、懸賞の当選情報、クーポン情報、チケット情報等の種々のサービス情報に係わるサービスデータや、これら各種のサービス情報を個々に提供する各プロバイダを特定する符号データであり、プログラムにアクセスするＵＲＬデータを含ませることもできる。携帯端末５は、これらサービスデータを用いて表示画面上に表示したり音声表示を行う他、符号データやＵＲＬデータを用いてサービスプロバイダ６あるいは放送局２にアクセスする。
【００４４】
これにより、放送局等の配信元から利用者へ向かう下向きの伝送経路に加えて、利用者から配信元へ向かう上向きの伝送経路を形成することができる。
【００４５】
次に、本発明の放送通信システムの構成例について図２を用いて説明する。
【００４６】
図２に示す放送通信システム１の構成例は、前記図１に示した配信元と利用者との間で行われる双方向通信の概略に沿った例であり、一つの放送局が放送する放送波を複数の受信機３Ａ，３Ｂ，…で受信し、各受信機で抽出した配信データを複数の携帯端末５Ａ，５Ｂ，５Ｃ，…受信する。各携帯端末５Ａ，５Ｂ，５Ｃ，…は、携帯電話通信網１１あるいはインターネット網１２を介して各ＵＲＬが定める所定のサービスプロバイダ６Ａ，６Ｂ，…あるいは放送局２に接続する。
【００４７】
各サービスプロバイダ６Ａ，６Ｂ，…は、利用者から得た情報を放送局２に送ることにより、放送局２が配信した配信データに対する利用者の応答をフィードバックすることができる。例えば、コマーシャル情報を配信した場合には、利用者がこのコマーシャル情報をどのように受け止めたかを知ることができる。また、抽選情報や応募情報を配信した場合には、利用者の申し込み状況を知ることができる。
【００４８】
また、サービスプロバイダ６Ａ，６Ｂ，…は、フィードバックされた情報を放送局２に戻すこともでき、これによって、放送局２が放送した放送内容に対する反響を把握することができる他、放送局２が行う調査等の回答情報を得ることができる。
【００４９】
また、この構成では、インターネット上に検索サーバ８を設けることもできる。検索サーバ８は、符号データからＵＲＬデータを検索して出力する機能を有する。携帯端末５が配信データから、サービスプロバイダ６や放送局２にアクセスするＵＲＬデータではなく、単にこれらを特定する符号データを取得した場合には、この符号データによっては目的するサービスプロバイダ６や放送局２にアクセスすることができない。そこで、検索サーバ８に符号データと対応するＵＲＬデータとの対応関係を記録しておき、携帯端末５から検索サーバ８にアクセスして、符号データと対応するＵＲＬデータを読み出し、読み出したＵＲＬデータにより目的とするサービスプロバイダ６や放送局２へのアクセスを行う。
【００５０】
携帯端末５は、配信データについて、はじめに目的とするＵＲＬデータを検索し、目的とするＵＲＬデータが含まれていない場合には目的とする符号データを検索し、この符号データを検索サーバ８に送って対応するＵＲＬデータを取得し、取得したＵＲＬデータを用いて目的とするサービスプロバイダ６あるいは放送局２にアクセスする。
【００５１】
次に、放送受信機，デコーダ，携帯端末の構成例について、図３，４を用いて説明する。図３に示す構成例は、放送受信機とデコーダとを別体とする構成例であり、図４に示す構成例は、デコーダを放送受信機に備え一体構成とする例である。
【００５２】
はじめに、図３に示す構成例について説明する。図３において、放送受信機３は、放送波を受信する受信手段３ｃ，受信した放送波から所定番組について映像データや音声データを取り出すチューナ３ａ，取り出した映像データや音声データを表示する表示手段３ｄ，チューナ３ａで取り出した配信データを含む信号データを出力する出力端３ｅ，これらを制御する制御手段３ｂを備える。
【００５３】
表示手段３ｄは、画像表示手段や音声表示手段であり、映像データによる画像表示や画像データによる音声表示を行う。また、出力端３ｅは、音声データや画像データや配信データ等を外部に出力するための端子であり、音声出力端子、データ出力端子、iLink（IEEE1394）等とすることができる。
【００５４】
デコーダ４は、放送受信機３の出力端３ｅと接続して、音声データや画像データや配信データ等を入力する入力端４ｃ，入力したデータから配信データを抽出するデータ抽出手段４ａ，抽出した配信データを記録する記録手段４ｄ，記録手段４ｄに記録される配信データを携帯端末５に送信するための近距離通信手段４ｅ，これらを制御する制御手段４ｂを備える。
【００５５】
データ抽出手段４ａは、放送受信機３で選出したデータから配信データを抽出する手段であり、予め設定されたデータ構造の特徴に基づいて配信データを抽出することができる。配信データとしては、種々のサービス情報の他、サービスプロバイダや放送局を特定する符号データや、サービスプロバイダや放送局にアクセスするためのＵＲＬデータがある。
【００５６】
近距離通信手段４ｅは、これらの配信データを送信する。近距離通信手段４ｅとしては、例えば、IrDA，Bluetooth（登録商標），無線ＬＡＮ等の近距離無線通信の他、コードにより接続することもできる。
【００５７】
携帯端末５は、近距離無線通信等によりデコーダ４から送信された配信データを入力する近距離通信手段５ｅ，入力した配信データを解析し、種々のサービス情報，符号データ，あるいはＵＲＬデータ等を取り出す解析手段５ａ，解析して得られた各種データを記録する記録手段５ｄ，解析で得られた種々のサービス情報を表示する表示手段５ｇ，解析で得られた符号データを用いて検索サーバにアクセスしたり、ＵＲＬデータを用いて目的とする放送局やサービスプロバイダにアクセスし、検索サーバから符号データに対応するＵＲＬデータを入力したり、アクセスした放送局やサービスプロバイダから種々のデータを入力する送受信手段５ｃ，入力手段５ｆを備える。
【００５８】
解析手段５ａは、複数のサービスやアクセス先の一覧テーブルを形成する機能を備え、この一覧テーブルを表示手段５ｇに表示する。利用者は、入力手段５ｆによって種々のサービス情報の中から利用するサービスや目的とするアクセス先を選択する。
【００５９】
次に、図４に示す構成例について説明する。図４に示す構成例は、前記図３で示した構成例のデコーダ４を放送受信機３内に組み込んだ構成である。以下、図３と共通する構成については説明を省略し、異なる構成部分のみについて説明する。
【００６０】
図３のデコーダ４に対応するデコーダ部４′は、受信データから配信データを抽出するデータ抽出手段４ａ，抽出した配信データを記録する記録手段４ｄ，記録手段４ｄに記録される配信データを携帯端末５に送信するための近距離通信手段４ｅを備える。近距離通信手段４ｅは、これらの配信データを送信する。近距離通信手段４ｅは、前記したように、例えば、IrDA，Bluetooth，無線ＬＡＮ等の近距離無線通信の他、コードにより接続することもできる。
【００６１】
この構成では、デコーダ部４′は放送受信機３内に組み込まれているため、前記図３で示した構成例のように、出力端及び入力端間を接続する構成は不要であり、内部に備えるバス等の配線により行うことができる。
【００６２】
次に、図５の状態説明図を用いて、本発明の放送通信システムの動作例について説明する。なお、以下のＳを付した番号は、図中の符号と対応して示している。
【００６３】
放送局２のエンコーダ２ｂは、映像データ，音声データに配信データを重畳して放送信号を形成し（Ｓ１）、形成した放送信号を送信する（Ｓ２）。
【００６４】
放送受信機３は放送信号を受信し（Ｓ３）、チューナ３ａで目的とする番組を選択する（Ｓ４）。デコーダ４において、データ抽出手段４は選択した信号から配信データを抽出し（Ｓ５）、記録手段４ｄに記録する（Ｓ６）。
【００６５】
利用者は放送受信機の表示手段３ｄに表示される表示画像を参照し、利用を希望するコンテンツがある場合、携帯端末５から放送受信機３（あるいはデコーダ４）に向けて利用可能なコンテンツの一覧を要求する（Ｓ８）。この際、デコーダに登録された携帯端末であるかの認証を行ってもよい（Ｓ７）。放送受信機３（あるいはデコーダ４）は、コンテンツの一覧要求を受けてコンテンツ一覧を作成し（Ｓ９）、携帯端末５に送信する（Ｓ１０）。
【００６６】
携帯端末５は、送信されたコンテンツ一覧を受信して表示する（Ｓ１１）。コンテンツ一覧には、商品情報や番組情報、携帯端末で利用可能なアプリケーション，待ち受け画面，着メロ、アクセスを希望するアクセス先等が表示され、利用者は表示されたコンテンツ一覧から利用を希望するコンテンツを選択し、放送受信機３（あるいはデコーダ４）に送る（Ｓ１２）。
【００６７】
放送受信機３（あるいはデコーダ４）は、選択されたコンテンツの配信データを記録手段４ｄ読み出し（Ｓ１３）、携帯端末５送信する（Ｓ１４）。携帯端末５は配信デコーダを受信し（Ｓ１５）、解析する（Ｓ１６）。
【００６８】
解析して得られたデータが表示データである場合には、携帯端末５の表示手段５ｇに表示する（Ｓ２１）。
【００６９】
解析して得られたデータがアプリケーションデータである場合には、そのアプリケーションを実行する（Ｓ３１）。
【００７０】
解析して得られたデータがＵＲＬデータ（あるいは電子メールアドレスデータ）である場合には、送受信手段５ｃを介してＵＲＬデータ（あるいは電子メールアドレスデータ）で指定されるアクセス先にアクセスする（Ｓ４１，４２）。
【００７１】
解析して得られたデータがアクセス先を特定する符号データである場合には、携帯端末はそのアクセス先のＵＲＬデータ（あるいは電子メールアドレスデータ）を保持していないため、検索サーバ８に接続し（Ｓ５１）、アクセス先のＵＲＬデータ（あるいは電子メールアドレスデータ）を要求する（Ｓ５２）。
【００７２】
検索サーバ８はアクセス先のＵＲＬデータ（あるいは電子メールアドレスデータ）を検索し（Ｓ５３）、携帯端末の送信する（Ｓ５４）。携帯端末は、送信されたＵＲＬデータ（あるいは電子メールアドレスデータ）を受信し（Ｓ５５）、当該データを用いてアクセス先にアクセスする（Ｓ５６，５７）。
【００７３】
また、アプリケーション等のコンテンツを利用する際に、予め登録等によって定められた利用者のみが利用可能とする場合には、サービスプロバイダからそのアプリケーションの利用を可能とする認識情報を得る利用態様とすることができる。
【００７４】
以下、このような利用態様の動作例を図６の状態説明図を用いて説明する。なお、以下のＳを付した番号は、図中の符号と対応して示している。
【００７５】
デコーダ部４は配信データを携帯端末５に送信し（Ｓ６１（図５のＳ１３に対応））、携帯端末５は送信された配信データを受信する（Ｓ６２（図５のＳ１４に対応））。携帯端末５は配信データからアクセス先を抽出し（Ｓ６３）、アクセス先のサービスプロバイダにアクセスして、アプリケーション等の利用に要する認識情報を要求する（Ｓ６４）。
【００７６】
サービスプロバイダは、携帯端末５からのアクセスを受け（Ｓ６５）、要求者を確認する。この際、携帯端末５携帯端末の機器番号等の識別情報をサービスプロバイダに送信し、サービスプロバイダはこの識別情報を用いて利用者を特定することができる（Ｓ６６）。要求者が確認されると、サービスプロバイダは認識情報を携帯端末５に送信する（Ｓ６７）。
【００７７】
携帯端末５は認識情報を受信し（Ｓ６８）、受信した認識情報をデコーダ部４に転送する（Ｓ６９）。デコーダ部４は転送された認識情報を受信し（Ｓ７０）、この認識情報を用いて配信デコーダの利用が可能な状態とし、配信データを携帯端末５に送信する（Ｓ７１）。携帯端末５は、配信データを解析し（Ｓ７２）、表示手段５ｇに表示したり（Ｓ７３）、アプリケーションを実行する（Ｓ７４）。
【００７８】
本発明の形態によれば、インターネット接続のために、従来セットトップボックス等に必要としていた機能を不要とすることができ、装置構成を簡略化することができる。
【００７９】
次に、本発明のデコーダ及び放送受信機が備えるデータ抽出手段について、図７〜図９を用いて説明する。図７はデータ抽出手段の構成例を説明するための概略構成図であり、図８は放送波データに付加する属性を説明するための図であり、図９はデータ抽出手段による属性を用いた配信データの抽出を説明するための概略構成図である。
【００８０】
図７において、データ抽出手段４ａは、フィルタ手段４ａ，属性設定手段４ａ２，属性記録手段４ａ３，属性入力手段４ａ４を備える。
【００８１】
属性記録手段４ａ３は、デコーダ単位あるいは利用者単位で利用者個人の属性を記録する。属性は、例えば、性別、年齢あるいは年代、嗜好、支持政党等、個人に属する種々の事項とすることができ、この属性を組み合わせることによって利用者を種々のグループに分類分けすることができる。この分類分けにより、配信元にとっては情報を配信したい対象者を絞ることができ、また、利用者にとっては不要な情報の配信を除き、必要とする情報や望ましい情報の配信を受けることができる。
【００８２】
例えば、３０代の女性で旅行に興味がある者に対して情報を配信する場合には、放送波データに“３０代”，“女性”，“旅行”の属性を付与して放送波は放送する。放送波を受信したデコーダの内で、これらの属性が設定されたデコーダのみが配信データを抽出する。
【００８３】
また、属性として端末番号や機器番号等の携帯端末に固有の識別情報を登録してもよい。これによれば、特定の携帯端末や特定のグループに対してのみにデータを配信することもできる。
【００８４】
図８は、放送波データの一例である。ここでは、放送波データ２０は、データ容量やデータ構造などのデータの特性情報を拡張子等によってヘッダ情報等の形態で格納するタグ領域２１と、送信内容をなす画像データ、音声データ、及び配信データが格納されるデータ領域２３とを備える。なお、ここでは、タグ領域２１とデータ領域２３に分けて示しているが、タグ情報をデータ領域２３内に組み込んでもよい。
【００８５】
属性２２はタグ領域２１内に格納して、放送波デコーダ２０と共に放送される。配信側は、如何なる属性を設定するかを予め定めておき、デコーダや放送受信機側において同じ属性を設定し、この属性をフィルタリングパラメータとして用いることにより、属性を用いたフィルタリングを行うことができる。
【００８６】
フィルタ手段４ａ１のフィルタリングにおいて、フィルタリングパラメータとして用いる属性は属性設定手段４ａ２で設定することができ、属性記録手段４ａ３に記録する属性を読み出して設定することができる。属性設定手段４ａ２は、属性性記録段４ａ３に記録される属性を読み出しフィルタ手段４１ａのフィルタリングパラメータとして設定する。
【００８７】
フィルタ手段４１ａで用いる属性は、属性記録手段４ａ３に記録される属性から属性設定手段４ａ２で選択することで設定することができる。属性記録手段４ａ３には、配信元で設定した属性を全てあるいは、全ての属性の中から属性設定手段４ａ２で設定する可能性のある属性を記録することにより、利用者の必要に応じて設定することができる。
【００８８】
属性記録手段４ａ３への属性の記録は、デコーダや放送受信機の組立時に行うことも、あるいは、属性入力手段４ａ４により行うこともできる。また、携帯端末から属性を登録することもできる。
【００８９】
また、属性入力手段４ａ４を用いることにより属性内容を変更することもできる。属性内容の変更は、配信元とデコーダあるいは放送受信機側とのおいて同一の属性が設定されていることが必要である。そこで、属性内容を変更する場合には、配信元において属性内容の変更を行い、変更した属性内容を所定の方法で利用者に通知し、利用者に属性入力手段４ａ４によって変更した属性を入力し設定を行う。
【００９０】
また、放送波データ２０の属性２２において、設定内容を定めない属性を設けておき、デコーダや放送受信機においてその属性と属性内容との対応関係を設定することにより、属性内容を変更することもできる。
【００９１】
例えば、図８中の“属性１”を属性内容を定めない単なるタグとして設定しておき、配信元は任意に定めた属性内容と、その属性内容を“属性１”に設定したことを所定の方法で利用者に通知する。利用者は、通知された属性内容が利用者に対応する場合にはデコーダあるいは放送受信機において、属性選択によって属性選択手段４ａ２で“属性１”の設定を行う。これにより、“属性１”には所定の属性内容が設定されることになる。
【００９２】
なお、フィルタ手段４ａ１によりフィルタリングは、複数の属性の組み合わせにより行うことができ、複数の属性の論理積や論理和、あるいは論理積と論理和との組み合わせ等、任意に定めることができる。これによって、属性記録手段４ａ３に記録した属性の内から、単独の属性に対応する配信データを抽出する他、種々の組み合わせの属性に対応する配信データを抽出することもできる。
【００９３】
図９はフィルタ手段によるデータ抽出の一例であり、性別の属性２２ａと年代の属性２２ｂの例を示している。
【００９４】
図９において、放送波データは、属性２２ａとして女性が設定され属性２２ｂとして３０代が設定された放送データ２０Ａと、属性２２ａとして男性が設定され属性２２ｂとして４０代が設定された放送データ２０Ｂと、属性２２ａとして女性が設定され属性２２ｂとして２０代が設定された放送データ２０Ｃとを含む例を示している。
【００９５】
ここで、フィルタ手段４ａ１にフィルタリングパラメータとして、女性の属性と３０代の属性の論理積が設定された場合には、放送データ２０Ａ，２０Ｂ，２０Ｃの内で放送データ２０Ａが設定した属性上で一致するため、放送データ２０Ａがフィルタリングされ配信データＡが抽出される。
【００９６】
また、フィルタ手段４ａ１にフィルタリングパラメータとして、２０代の属性と３０代の属性の論理和をとったものと女性の属性との論理積が設定された場合には、放送データ２０Ａ，２０Ｂ，２０Ｃの内から放送データ２０Ｃが設定した属性上で一致するため、放送データ２０Ａ及び２０Ｃがフィルタリングされ、配信データＡ，Ｃが抽出される。
【００９７】
なお、属性２２は、図８（ａ），９に示したようなデータ構成に限らず、図８（ｂ）に示すように例えば配信データ等の各データ内に付加するデータ構成とすることもできる。
【産業上の利用可能性】
【００９８】
本発明の放送通信システムは、地上波あるいは衛星波で、アナログ信号あるいはデジタル信号で送信されるラジオ放送やテレビ放送等の任意の放送波に適用することができる。
【００９９】
また、配信するデータは、番組情報，ＣＭ情報等の番組に重畳して表示する情報や、インターネット上で利用するコンテンツ情報やアクセス先のＵＲＬ情報、携帯電話で利用する待ち受け画面の情報、着メロの情報、アプリケーション情報、コマーシャル情報、商品情報、購買情報、懸賞の当選情報、クーポン情報、チケット情報等に適用することができる。
【図面の簡単な説明】
【０１００】
【図１】本発明の放送通信システムによる、配信元と利用者との間で行われる双方向の通信を説明する概略図である。
【図２】本発明の放送通信システムの構成例を説明するための図である。
【図３】本発明の放送受信機とデコーダとを別体とする構成例を説明する図である。
【図４】本発明のデコーダを放送受信機に備え一体構成例を説明する図である。
【図５】本発明の放送通信システムの動作例を説明する状態説明図である。
【図６】本発明の放送通信システムの利用態様の動作例を説明するための状態説明図である。
【図７】本発明のデータ抽出手段の構成例を説明するための概略構成図である。
【図８】本発明において放送波データに付加する属性を説明するための図である。
【図９】本発明のデータ抽出手段による属性を用いた配信データの抽出を説明するための概略構成図である。
【符号の説明】
【０１０１】
１  放送通信システム
２  放送局
２ａ  マルチプレクサ
２ｂ  エンコーダ
３，３Ａ，３Ｂ  放送受信機
３ａ  チューナ
３ｂ  制御手段
３ｃ  受信手段
３ｄ  表示手段
３ｅ  出力端
４，４Ａ，４Ｂ  デコーダ
４ａ  データ抽出手段
４ａ１  フィルタ手段
４ａ２  属性設定手段
４ａ３  属性記録手段
４ａ４  属性入力手段
４ｂ  制御手段
４ｃ  入力端
４ｄ  記録手段
４ｅ  近距離通信手段
５，５Ａ，５Ｂ，５Ｃ  携帯端末
５ａ  解析手段
５ｂ  制御手段
５ｃ  送受信手段
５ｄ  記録手段
５ｅ  近距離通信手段
５ｆ  入力手段
５ｇ  表示手段
６，６Ａ，６Ｂ  サービスプロバイダ
７，７Ａ，７Ｂ  情報提供者
８  検索サーバ
１０ａ  映像データ
１０ｂ  音声データ
１０ｃ  配信データ
１１  携帯電話通信網
１２  インターネット
【図１】
2005150956.tif 000003
【図２】
2005150956.tif 000004
【図３】
2005150956.tif 000005
【図４】
2005150956.tif 000006
【図５】
2005150956.tif 000007
【図６】
2005150956.tif 000008
【図７】
2005150956.tif 000009
【図８】
2005150956.tif 000010
【図９】
2005150956.tif 000011